(57)【要約】【課題】デジタルデータから想定する記録位置と、実際の記録位置と、にずれが生じることを抑制する。【解決手段】媒体Ｍを支持して移動方向Ａに移動可能な支持部４と、支持部４に支持された媒体Ｍに、デジタルデータに基づいて、画像Ｉを記録する記録部７と、支持部４に支持された媒体Ｍに、該媒体Ｍにおける記録位置の基準となるオブジェクト１６を投影する投影部１２と、を備えることを特徴とする記録装置１。このような構成の記録装置１とすることにより、デジタルデータから想定する記録位置と、実際の記録位置と、にずれが生じることを抑制することが可能になる。【選択図】図５
2016175376.tif 000002
【特許請求の範囲】
【請求項１】
媒体を支持して移動方向に移動可能な支持部と、
前記支持部に支持された前記媒体に、デジタルデータに基づいて、画像を記録する記録
部と、
前記支持部に支持された前記媒体に、該媒体における記録位置の基準となるオブジェク
トを投影する投影部と、
を備えることを特徴とする記録装置。
【請求項２】
請求項１に記載の記録装置において、
前記デジタルデータにおける記録位置の変更を受け付け、該記録位置の変更に対応して
、前記オブジェクトの投影位置を変更することを特徴とする記録装置。
【請求項３】
請求項１又は２に記載の記録装置において、
前記オブジェクトの投影位置は、変更可能であり、
前記オブジェクトの投影位置の変更に対応して、前記デジタルデータにおける記録位置
を変更することを特徴とする記録装置。
【請求項４】
請求項１から３のいずれか１項に記載の記録装置において、
前記投影部は、第１投影部と第２投影部とを有し、
前記第１投影部は、前記移動方向及び該移動方向と交差する交差方向のうちの一方向に
おける記録位置の一端に対応する、前記オブジェクトのうちの第１オブジェクトを投影し
、
前記第２投影部は、前記一方向における記録位置の他端に対応する、前記オブジェクト
のうちの第２オブジェクトを投影することを特徴とする記録装置。
【請求項５】
請求項４に記載の記録装置において、
前記一方向における前記一端と前記他端との距離に対応して、前記媒体に記録される前
記画像のサイズを変更することを特徴とする記録装置。
【請求項６】
請求項４又は５に記載の記録装置において、
前記投影部は、第３投影部と第４投影部とを有し、
前記第３投影部は、前記移動方向及び前記交差方向のうちの他方向における記録位置の
一端に対応する、前記オブジェクトのうちの第３オブジェクトを投影し、
前記第４投影部は、前記他方向における記録位置の他端に対応する、前記オブジェクト
のうちの第４オブジェクトを投影することを特徴とする記録装置。
【請求項７】
媒体を支持して移動方向に移動可能な支持部と、前記支持部に支持された前記媒体に、
デジタルデータに基づいて、画像を記録する記録部と、を備える記録装置における記録位
置の投影方法であって、
前記支持部に支持された前記媒体に、該媒体における記録位置の基準となるオブジェク
トを投影することを特徴とする投影方法。
【発明の詳細な説明】
【技術分野】
【０００１】
本発明は、記録装置及び投影方法に関する。
【背景技術】
【０００２】
従来から、様々な記録装置が使用されている。このような記録装置においては、媒体支
持ユニットに媒体を支持させ、該媒体支持ユニットに支持された媒体に対して記録可能な
ものがある。また、このような記録装置においては、画像の記録前に、媒体における記録
位置を作業者が認識し、該記録位置を調整することが一般的に行われている。  
例えば、特許文献１には、プラテン（媒体支持ユニット）に支持させた被記録媒体（媒
体）を画像読取手段で読み取り、読取画像の読取位置に基づいて記録位置を調整する記録
装置が開示されている。
【先行技術文献】
【特許文献】
【０００３】
【特許文献１】特開２００５−４１１４６号公報
【発明の概要】
【発明が解決しようとする課題】
【０００４】
媒体における記録位置を作業者が認識する際、実際の媒体上において記録位置が示され
ると、最も好適に、作業者が把握する記録位置と実際の記録位置とのずれを抑制すること
ができる。  
しかしながら、特許文献１には、記録前に、実際の媒体上において、記録位置が示され
るということに関する記載が無く、その示唆もない。すなわち、特許文献１の記録装置は
、記録前に媒体において記録位置が示されるわけではないので、例えば、モニター（表示
部）に表示される読取画像（デジタルデータ上の画像）から作業者が把握する記録位置と
、実際の記録位置と、にずれが生じる虞がある。
【０００５】
そこで、本発明の目的は、デジタルデータから想定する記録位置と、実際の記録位置と
、にずれが生じることを抑制することを目的にする。
【課題を解決するための手段】
【０００６】
上記課題を解決するための本発明の第１の態様の記録装置は、媒体を支持して移動方向
に移動可能な支持部と、前記支持部に支持された前記媒体に、デジタルデータに基づいて
、画像を記録する記録部と、前記支持部に支持された前記媒体に、該媒体における記録位
置の基準となるオブジェクトを投影する投影部と、を備えることを特徴とする。
【０００７】
本発明の第２の態様の記録装置は、前記第１の態様において、前記デジタルデータにお
ける記録位置の変更を受け付け、該記録位置の変更に対応して、前記オブジェクトの投影
位置を変更することを特徴とする。
【０００８】
本発明の第３の態様の記録装置は、前記第１又は第２の態様において、前記オブジェク
トの投影位置は、変更可能であり、前記オブジェクトの投影位置の変更に対応して、前記
デジタルデータにおける記録位置を変更することを特徴とする。
【０００９】
本発明の第４の態様の記録装置は、前記第１から第３のいずれか１つの態様において、
前記投影部は、第１投影部と第２投影部とを有し、前記第１投影部は、前記移動方向及び
該移動方向と交差する交差方向のうちの一方向における記録位置の一端に対応する、前記
オブジェクトのうちの第１オブジェクトを投影し、前記第２投影部は、前記一方向におけ
る記録位置の他端に対応する、前記オブジェクトのうちの第２オブジェクトを投影するこ
とを特徴とする。
【００１０】
本発明の第５の態様の記録装置は、前記第４の態様において、前記一方向における前記
一端と前記他端との距離に対応して、前記媒体に記録される前記画像のサイズを変更する
ことを特徴とする。
【００１１】
本発明の第６の態様の記録装置は、前記第４又は第５の態様において、前記投影部は、
第３投影部と第４投影部とを有し、前記第３投影部は、前記移動方向及び前記交差方向の
うちの他方向における記録位置の一端に対応する、前記オブジェクトのうちの第３オブジ
ェクトを投影し、前記第４投影部は、前記他方向における記録位置の他端に対応する、前
記オブジェクトのうちの第４オブジェクトを投影することを特徴とする。
【００１２】
本発明の第７の態様の投影方法は、媒体を支持して移動方向に移動可能な支持部と、前
記支持部に支持された前記媒体に、デジタルデータに基づいて、画像を記録する記録部と
、を備える記録装置における記録位置の投影方法であって、前記支持部に支持された前記
媒体に、該媒体における記録位置の基準となるオブジェクトを投影することを特徴とする
。
【発明の効果】
【００１３】
本発明によれば、デジタルデータから想定する記録位置と、実際の記録位置と、にずれ
が生じることを抑制することができる。
【図面の簡単な説明】
【００１４】
【図１】本発明の一実施例に係る記録装置の概略斜視図。
【図２】本発明の一実施例に係る記録装置の概略斜視図。
【図３】本発明の一実施例に係る記録装置の概略正面図。
【図４】本発明の一実施例に係る記録装置のブロック図。
【図５】本発明の一実施例に係る記録装置の概略斜視図。
【図６】本発明の一実施例に係る記録装置の要部を表す概略斜視図。
【図７】本発明の一実施例に係る媒体支持ユニットを表す概略斜視図。
【図８】本発明の一実施例に係る記録装置の媒体支持ユニットにセットされた媒体における画像の形成位置（記録位置）を表す概略平面図。
【図９】本発明の一実施例に係る記録装置と共に使用可能なＰＣのモニターにおける媒体支持ユニットにセットされた媒体における画像Ｉの形成位置の表示例を表す概略図。
【発明を実施するための形態】
【００１５】
以下に、本発明の一実施例に係る記録装置１について、添付図面を参照して詳細に説明
する。  
最初に、本実施例の記録装置１の概要について説明する。  
図１及び図２は本発明の一実施例に係る記録装置１の概略斜視図であり、このうち図１
は本実施例の記録装置１の媒体Ｍ（図７参照）の支持部としてのトレイ４が記録開始位置
にある状態、図２はトレイ４が媒体Ｍのセット位置にある状態を表している。  
また、図３は、本実施例の記録装置１の概略正面図である。
【００１６】
本実施例の記録装置１は、媒体Ｍをトレイ４の支持面８で支持した状態で移動方向Ａに
移動する媒体支持ユニット２を備えている。媒体支持ユニット２は、媒体Ｍの支持部であ
るトレイ４を有している。記録装置１は、トレイ４に支持された媒体Ｍを移動方向Ａに搬
送する媒体搬送部３を備えている。移動方向Ａは、方向Ａ１と、方向Ａ１と反対方向の方
向Ａ２と、を含む方向である。また、トレイ４はステージ５に載置されている。トレイ４
はステージ５と共に、回転レバー９を回転させることにより、高さ方向Ｃに移動する。な
お、媒体Ｍとしては、テキスタイル（織物、布等）、紙、塩化ビニル樹脂など、種々の素
材のものを用いることができる。
【００１７】
また、記録装置１の本体内部にはインクを吐出して媒体Ｍに記録することが可能な記録
ヘッド７が備えられている。本実施例において、記録ヘッド７は、媒体Ｍに記録を実行可
能な記録部に相当する。そして、本実施例の記録装置１は、記録ヘッド７が設けられたキ
ャリッジ６を移動方向Ａと交差する交差方向Ｂに往復移動させることで、記録ヘッド７を
交差方向Ｂに往復移動させながら、記録ヘッド７からトレイ４に支持された媒体Ｍにイン
クを吐出させて所望の画像を形成する。  
なお、本実施例の記録装置１は、図１及び図２中の手前側（左下方向）がトレイ４への
媒体Ｍのセット位置（図２に対応）である。そして、図１及び図２中の奥側（右上方向）
の記録開始位置（図１に対応）まで移動方向Ａのうちの方向Ａ１に媒体Ｍをセットしたト
レイ４を移動した後、移動方向Ａのうちの方向Ａ２にトレイ４を移動しながら記録する。
【００１８】
なお、本実施例の記録装置１は、交差方向Ｂに往復移動しながら記録する記録ヘッド７
を備えているが、インクを吐出するノズルを移動方向Ａと交差する交差方向Ｂに複数設け
た所謂ラインヘッドを備える記録装置でもよい。  
ここで、「ラインヘッド」とは、媒体Ｍの移動方向Ａと交差する交差方向Ｂに形成され
たノズルの領域が、媒体Ｍの交差方向Ｂ全体をカバー可能なように設けられ、記録ヘッド
又は媒体Ｍを相対的に移動させて画像を形成する記録装置に用いられる記録ヘッドである
。なお、ラインヘッドの交差方向Ｂのノズルの領域は、記録装置が対応している全ての媒
体Ｍの交差方向Ｂ全体をカバー可能でなくてもよい。  
また、本実施例の記録ヘッド７は、媒体Ｍにインクを吐出することで記録可能な記録部
であるが、このような記録部に限定されず、例えば、色材を媒体Ｍに転写して記録する転
写式の記録部を使用してもよい。
【００１９】
また、本実施例の記録装置１は、トレイ４に支持された媒体Ｍに、該媒体Ｍにおける記
録位置の基準となるオブジェクトとしての基準線１６（図５参照）を投影する投影部１２
を備えている。なお、投影部１２についての詳細は後述する。
【００２０】
また、本実施例の記録装置１は、図３で表されるように、センサーＳを備えており、ト
レイ４に支持される媒体Ｍと記録ヘッド７との間隔の異常（媒体Ｍと記録ヘッド７との間
隔が狭すぎること）の有無を検出することができる構成になっている。  
ここで、センサーＳは、発光部Ｓｅと受光部Ｓｒとを有している。そして、センサーＳ
は、発光部Ｓｅから受光部Ｓｒに向けて光を照射し、受光部Ｓｒで該光を受光したか否か
に基づいて、該間隔の異常の有無を検出する構成である。ただし、このような構成に限定
はない。
【００２１】
次に、本実施例の記録装置１における電気的な構成について説明する。  
図４は、本実施例の記録装置１のブロック図である。  
制御部１９には、記録装置１の全体の制御を司るＣＰＵ２０が設けられている。ＣＰＵ
２０は、システムバス２１を介して、ＣＰＵ２０が実行する各種制御プログラム等を格納
したＲＯＭ２２と、データを一時的に格納可能なＲＡＭ２３と、に接続されている。
【００２２】
また、ＣＰＵ２０は、システムバス２１を介して、記録ヘッド７を駆動するためのヘッ
ド駆動部２４と接続されている。  
また、ＣＰＵ２０は、システムバス２１を介して、投影部１２を駆動する（投影部１２
から光を照射して基準線１６を投影させる）ための投影部駆動部１７と接続されている。
また、ＣＰＵ２０は、システムバス２１を介して、モーター駆動部２５と接続されてい
る。そして、モーター駆動部２５は、記録ヘッド７が設けられたキャリッジ６を移動させ
るためのキャリッジモーター２６、媒体Ｍを搬送するために媒体搬送部３に設けられた搬
送モーター２７、投影部１２を移動させるための投影部移動モーター１８と接続されてい
る。  
さらに、ＣＰＵ２０は、システムバス２１を介して、入出力部２８と接続されており、
入出力部２８は、センサーＳ、表示部としてのモニター３０を有し画像Ｉのデジタルデー
タとしての画像データＩｄ（図９参照）等のデータ及び信号の送受信を行うためのＰＣ２
９と接続されている。
【００２３】
上記のように、本実施例の記録装置１は、媒体Ｍを支持して移動方向Ａに移動可能なト
レイ４と、トレイ４に支持された媒体Ｍに、画像Ｉを記録する記録ヘッド７を備えている
。ここで、記録ヘッド７は、制御部１９の制御により、記録位置情報を有するデジタルデ
ータ（画像データＩｄ）に基づいて、画像Ｉ（記録画像Ｉｐ（図８参照））を記録するこ
とが可能である。  
また、上記のように、本実施例の記録装置１は、投影部１２を備えている。ここで、投
影部１２は、トレイ４に支持された媒体Ｍに、該媒体Ｍにおける記録位置の基準となるオ
ブジェクトとしての基準線１６を投影することが可能である。このような構成により、本
実施例の記録装置１は、記録前に、実際の媒体Ｍ上において、記録位置を示すことができ
る構成になっている。すなわち、デジタルデータ（例えばモニター３０上で表されるデー
タ上の媒体Ｄｍに対する画像データＩｄの位置（図９参照））から想定する記録位置と、
実際の媒体Ｍに対する画像Ｉ（記録画像Ｉｐ）の記録位置と、にずれが生じることを抑制
することができる構成になっている。言い換えると、本実施例の記録装置１を用いて基準
線１６を投影する投影方法により、記録前に実際の媒体Ｍ上において記録位置を示すこと
ができ、デジタルデータから想定する記録位置と、実際の媒体Ｍに対する画像Ｉの記録位
置と、にずれが生じることを抑制することができる。
【００２４】
次に、本実施例の記録装置１の要部である投影部１２について説明する。  
ここで、図５は、本実施例の記録装置１の概略斜視図であり、投影部１２から基準線１
６を投影させている状態を表している。また、図６は、本実施例の投影部１２の概略拡大
図である。
【００２５】
図５で表されるように、本実施例の記録装置１は、投影部１２として、交差方向Ｂに移
動可能であって移動方向Ａに沿う光線（基準線１６）を投影可能な、第１投影部１２ａと
第２投影部１２ｂとを有している。第１投影部１２ａ及び第２投影部１２ｂは、交差方向
Ｂに移動することにより、トレイ４に支持された媒体Ｍに、該媒体Ｍにおける交差方向Ｂ
における記録位置の基準となる基準線１６を投影することが可能である。  
ここで、第１投影部１２ａは、移動方向Ａ及び該移動方向Ａと交差する交差方向Ｂのう
ちの一方向である交差方向Ｂにおける記録位置の一端（方向Ｂ１の先頭側）に対応する、
基準線１６のうちの第１オブジェクト１６ａを投影可能である。そして、第２投影部１２
ｂは、移動方向Ａ及び該移動方向Ａと交差する交差方向Ｂのうちの一方向である交差方向
Ｂにおける記録位置の他端（方向Ｂ２の先頭側）に対応する、基準線１６のうちの第２オ
ブジェクト１６ｂを投影可能である。  
すなわち、本実施例の記録装置１は、第１オブジェクト１６ａ及び第２オブジェクト１
６ｂにより交差方向Ｂにおける記録領域を投影する。このため、交差方向Ｂにおける記録
領域が明確になり、デジタルデータから想定する記録位置と、実際の記録位置と、にずれ
が生じることを効果的に抑制することができる構成になっている。
【００２６】
また、図５で表されるように、本実施例の記録装置１は、投影部１２として、高さ方向
Ｃに移動可能であって交差方向Ｂに沿う光線（基準線１６）を投影可能な、第３投影部１
２ｃと第４投影部１２ｄとを有している。第３投影部１２ｃ及び第４投影部１２ｄは、高
さ方向Ｃに移動することにより、トレイ４に支持された媒体Ｍに、該媒体Ｍにおける移動
方向Ａにおける記録位置の基準となる基準線１６を投影することが可能である。  
ここで、第３投影部１２ｃは、移動方向Ａ及び交差方向Ｂのうちの他方向である移動方
向Ａにおける記録位置の一端（方向Ａ２の先頭側）に対応する、基準線１６のうちの第３
オブジェクト１６ｃを投影可能である。そして、第４投影部１２ｄは、移動方向Ａ及び交
差方向Ｂのうちの他方向である移動方向Ａにおける記録位置の他端（方向Ａ１の先頭側）
に対応する、基準線１６のうちの第４オブジェクト１６ｄを投影可能である。  
すなわち、本実施例の記録装置１は、第１オブジェクト１６ａ及び第２オブジェクト１
６ｂにより交差方向Ｂにおける記録領域を投影し、第３オブジェクト１６ｃ及び第４オブ
ジェクト１６ｄにより移動方向Ａにおける記録領域を投影する。このため、移動方向Ａ及
び交差方向Ｂにおける記録領域が明確になり、デジタルデータから想定する記録位置と、
実際の記録位置と、にずれが生じることを特に効果的に抑制することができる構成になっ
ている。
【００２７】
なお、本実施例においては、交差方向Ｂにおける記録位置の一端及び他端に対応するオ
ブジェクト１６を第１オブジェクト１６ａ及び第２オブジェクト１６ｂとし、移動方向Ａ
における記録位置の一端及び他端に対応するオブジェクト１６を第３オブジェクト１６ｃ
及び第４オブジェクト１６ｄとした。  
しかしながら、第１オブジェクト１６ａ及び第２オブジェクト１６ｂ、並びに、第３オ
ブジェクト１６ｃ及び第４オブジェクト１６ｄ、の各々の対応関係（すなわち、第１投影
部１２ａ及び第２投影部１２ｂ、並びに、第３投影部１２ｃ及び第４投影部１２ｄ、の各
々の対応関係）は逆であってもよい。  
さらに、第１オブジェクト１６ａ及び第２オブジェクト１６ｂと、第３オブジェクト１
６ｃ及び第４オブジェクト１６ｄと、の対応関係（すなわち、第１投影部１２ａ及び第２
投影部１２ｂと、第３投影部１２ｃ及び第４投影部１２ｄと、の対応関係）についても、
逆であってもよい。
【００２８】
ここで、本実施例の投影部１２（第１投影部１２ａ、第２投影部１２ｂ、第３投影部１
２ｃ及び第４投影部１２ｄ）はいずれも同様の形態であり、図６で表されるような形状を
している。すなわち、本実施例の投影部１２は、内部に光線源を有し、直線状のスリット
３２が設けられている。このような構成により、基準線１６として直線状の光線を投影可
能になっている。そして、第１投影部１２ａ及び第２投影部１２ｂは、該直線状の光線が
移動方向Ａに沿う方向となってトレイ４に支持された媒体Ｍに投影されるよう配置され、
第３投影部１２ｃ及び第４投影部１２ｄは、該直線状の光線が交差方向Ｂに沿う方向とな
ってトレイ４に支持された媒体Ｍに投影されるよう配置されている。  
ここで、光線源については特に限定はないが、例えば、発光ダイオードなどを使用でき
る。また、光の波長や強度についても特に限定はないが、光が目に入っても影響のないも
のであることが好ましい。
【００２９】
なお、本実施例の投影部１２は、媒体Ｍにおける記録位置の基準となるオブジェクトと
して、直線状の基準線１６を投影することが可能な構成であるが、直線状の基準線でなく
てもよい。例えば、第１オブジェクト１６ａ、第２オブジェクト１６ｂ、第３オブジェク
ト１６ｃ及び第４オブジェクト１６ｄを各々Ｌ字状又は十字状（クロス状）とし、これら
で記録領域の４隅を形成するようにしてもよい。ただし、直線状の基準線は記録領域を把
握しやすく、該オブジェクトは直線状の基準線であることが好ましい。  
また、媒体Ｍをトレイ４にセットする際、基準線１６でトレイ４の中央部分が認識しや
すいように投影しておく（すなわち、支持部の中央部をオブジェクトで投射しておく）と
、トレイ４に対する媒体Ｍのセット位置が認識しやすくなる。
【００３０】
次に、本発明の実施例１の媒体支持ユニット２について説明する。  
ここで、図７は、本実施例の媒体支持ユニット２を表す概略斜視図である。  
本実施例の媒体支持ユニット２は、図７で表されるように、媒体Ｍを支持可能な支持部
としてのトレイ４と、トレイ４に支持される媒体Ｍを押さえることが可能な枠状の押さえ
部１０と、を備えている。  
そして、媒体Ｍをトレイ４の支持面８で支持させ、トレイ４の縁部１３に押さえ部１０
の庇部１１が載せられる状態となるようにすることで、媒体Ｍを押さえ部１０で押さえる
ことが可能な構成である。  
なお、本実施例のトレイ４には、ステージ５から取り外して床などに設置する際の設置
部１４と、ステージ５に対して位置決め可能な位置決め部１５とを備えている。  
ただし、押さえ部１０及びトレイ４の構成に特に限定はない。
【００３１】
また、本実施例の記録装置１は、ＰＣ２９にインストールされた記録装置１のドライバ
ーソフト（プログラム）を使用することにより、トレイ４（媒体支持ユニット２）に支持
された媒体Ｍに対して所望の位置に所望の画像Ｉを形成可能である。  
ここで、図８及び図９を用いて、作業者が本実施例の記録ユニットによって、どのよう
にして媒体支持ユニット２に支持された媒体Ｍに対して所望の位置に所望の画像Ｉを形成
できるかについて説明する。  
ここで、図８は、本実施例の記録装置１の媒体支持ユニット２にセットされた媒体Ｍに
おける画像Ｉ（記録画像Ｉｐ）の形成位置を表す概略平面図である。そして、図９は、本
実施例の記録装置１と共に使用可能なＰＣ２９のモニター３０における媒体支持ユニット
２にセットされた媒体Ｍにおける画像Ｉ（データ画像Ｉｄ）の形成位置の表示例を表す概
略図である。
【００３２】
作業者がＰＣ２９上でドライバーソフトを実行すると、図９で表されるように、モニタ
ー３０には、データ上のトレイＤ４に支持されたデータ上の媒体Ｄｍが表示されるととも
に、記録しようとする画像Ｉの画像データＩｄが表示される。  
一方、実際のトレイ４に支持された媒体Ｍにおいては、図８で表されるように、基準線
１６（第１オブジェクト１６ａ、第２オブジェクト１６ｂ、第３オブジェクト１６ｃ及び
第４オブジェクト１６ｄ）が投影される。なお、図８においては、記録しようとする画像
Ｉの位置関係が分かりやすいように、データ画像Ｉｄに対応する記録しようとする画像Ｉ
（記録画像Ｉｐ）を表している。  
図８で表されるように、本実施例の記録装置１は、記録しようとする画像Ｉの画像デー
タＩｄに対応する記録領域を、基準線１６を投影することにより、トレイ４に支持された
実際の媒体Ｍにおいて表すことができる。
【００３３】
また、本実施例の記録装置１は、制御部１９においてデジタルデータ上における画像デ
ータＩｄの記録位置の変更（デジタルデータにおける記録位置の変更）を受け付け、該記
録位置の変更に対応して基準線１６（オブジェクト）の投影位置を変更することができる
。具体的には、作業者は、モニター３０において、ポインター３１により、データ上の媒
体Ｄｍに対する画像データＩｄの位置を変更することができる（図９における画像データ
Ｉｄの位置の変更）。そして、該変更した位置に対応して、制御部１９が投影部移動モー
ター１８を駆動制御する等して、本実施例の記録装置１は実際の媒体Ｍにおいて基準線１
６の投影位置を変更する（図８における基準線１６の投影位置の変更）。このように、作
業者がデジタルデータにおける記録位置を変更することで、本実施例の記録装置１は該変
更に対応した位置に基準線１６の投影位置を変更することができる。すなわち、本実施例
の記録装置１は、モニター３０においてデジタルデータにおける記録位置を変更すること
により、簡単に、媒体Ｍにおける記録位置に対応する基準線１６の投影位置を変更できる
。そして、本実施例の記録装置１は、該変更した投影位置（記録位置）に画像Ｉを記録す
ることができる。  
なお、「デジタルデータにおける記録位置の変更」とは、本実施例のように画像データ
Ｉｄに変更を加えることなくポインター３０などを利用して画像データＩｄの位置を変更
することでデジタルデータにおける記録位置情報に変更を加えることのほか、デジタルデ
ータにおける画像データＩｄ自体に変更を加えることも含む意味である。
【００３４】
また、本実施例の記録装置１は、作業者が手動で任意の位置に投影部１２（第１投影部
１２ａ、第２投影部１２ｂ、第３投影部１２ｃ及び第４投影部１２ｄ）を移動可能に構成
されている。このため、基準線１６の投影位置は、作業者が手動で任意の位置に変更可能
である（図８における基準線１６の投影位置の変更）。そして、本実施例の記録装置１は
、基準線１６の投影位置の変更に対応して、制御部１９の制御により、デジタルデータ上
における画像データＩｄの記録位置を自動で変更することができる（図９における画像デ
ータＩｄの位置の変更）。このため、簡単に、記録前に実際の媒体Ｍ上において記録位置
を変更させ、該変更した位置に記録するようデジタルデータを変更することができる。  
なお、本実施例の記録装置１は、投影部１２を移動してオブジェクト１６の投影位置を
変更可能な構成である。しかしながら、このような構成に限定されず、投影部１２を移動
させることなくその姿勢や向きなどを変えることにより投影位置を変更可能な構成として
もよい。
【００３５】
また、本実施例の記録装置１は、基準線１６の投影位置の変更に伴い、記録しようとす
る画像Ｉの大きさを変更して記録することができる。すなわち、例えば、第１オブジェク
ト１６ａと第２オブジェクト１６ｂとの間隔を広くすることで媒体Ｍに記録する画像Ｉを
拡大し、該間隔を狭くすることで媒体Ｍに記録する画像Ｉを縮小することができる。別の
表現をすると、前記一方向である交差方向Ｂにおける一端と他端との距離に対応して、媒
体Ｍに記録される画像Ｉのサイズを変更することができる。  
このような構成により、本実施例の記録装置１は、第１オブジェクト１６ａ及び第２オ
ブジェクト１６ｂの投影位置を変更することにより、簡単に、媒体Ｍにおける任意の記録
位置に、画像Ｉを拡大又は縮小して記録できる。  
また、本実施例の記録装置１において、第３オブジェクト１６ｃと第４オブジェクト１
６ｄとの間隔を広くすることで媒体Ｍに記録する画像Ｉを拡大し、該間隔を狭くすること
で媒体Ｍに記録する画像Ｉを縮小してもよい。このような構成により、第３オブジェクト
１６ｃ及び第４オブジェクト１６ｄの投影位置を変更することにより、簡単に、媒体Ｍに
おける任意の記録位置に、画像Ｉを拡大又は縮小して記録できる。
【００３６】
なお、本発明は上記実施例に限定されることなく、特許請求の範囲に記載した発明の範
囲内で種々の変形が可能であり、それらも本発明の範囲内に含まれることは言うまでもな
い。  
以上、本発明について具体的な実施例に基づいて詳述した。ここで、本発明について、
もう一度まとめて説明する。
【００３７】
本発明の第１の態様の記録装置１は、媒体Ｍを支持して移動方向Ａに移動可能な支持部
４と、支持部４に支持された媒体Ｍに、デジタルデータに基づいて、画像Ｉを記録する記
録部７と、支持部４に支持された媒体Ｍに、該媒体Ｍにおける記録位置の基準となるオブ
ジェクト１６を投影する投影部１２と、を備えることを特徴とする。
【００３８】
本態様によれば、支持部４に支持された媒体Ｍに、該媒体における記録位置の基準とな
るオブジェクト１６を投影する投影部１２を備える。このため、記録前に、実際の媒体Ｍ
上において、記録位置を示すことができる。したがって、デジタルデータから想定する記
録位置と、実際の記録位置と、にずれが生じることを抑制することができる。
【００３９】
本発明の第２の態様の記録装置１は、前記第１の態様において、前記デジタルデータに
おける記録位置の変更を受け付け、該記録位置の変更に対応して、オブジェクト１６の投
影位置を変更することを特徴とする。
【００４０】
本態様によれば、デジタルデータにおける記録位置の変更を受け付け、該記録位置の変
更に対応して、オブジェクト１６の投影位置を変更する。すなわち、デジタルデータにお
いて記録位置を変更し、該変更に対応した位置にオブジェクト１６の投影位置を変更する
。このため、例えば、表示部３０においてデジタルデータにおける記録位置を変更するこ
とにより、簡単に、媒体Ｍにおける記録位置に対応するオブジェクト１６の投影位置を変
更できる。
【００４１】
本発明の第３の態様の記録装置１は、前記第１又は第２の態様において、オブジェクト
１６の投影位置は、変更可能であり、オブジェクト１６の投影位置の変更に対応して、前
記デジタルデータにおける記録位置を変更することを特徴とする。
【００４２】
本態様によれば、オブジェクト１６の投影位置は変更可能であり、オブジェクト１６の
投影位置の変更に対応してデジタルデータにおける記録位置を変更する。このため、簡単
に、記録前に実際の媒体Ｍ上において記録位置を変更させ、該変更した位置に記録するよ
うデジタルデータを変更することができる。  
なお、「オブジェクト１６の投影位置は、変更可能」とは、投影部１２を移動してオブ
ジェクト１６の投影位置を変更可能な構成のほか、投影部１２を移動させることなくその
姿勢や向きなどを変えることにより投影位置を変更可能な構成を含む意味である。
【００４３】
本発明の第４の態様の記録装置１は、前記第１から第３のいずれか１つの態様において
、投影部１２は、第１投影部１２ａと第２投影部１２ｂとを有し、第１投影部１２ａは、
移動方向Ａ及び該移動方向Ａと交差する交差方向Ｂのうちの一方向における記録位置の一
端に対応する、オブジェクト１６のうちの第１オブジェクト１６ａを投影し、第２投影部
１２ｂは、前記一方向における記録位置の他端に対応する、オブジェクト１６のうちの第
２オブジェクト１６ｂを投影することを特徴とする。
【００４４】
本態様によれば、第１投影部１２ａと第２投影部１２ｂとを有し、第１投影部１２ａは
前記一方向における記録位置の一端に対応するオブジェクト１６のうちの第１オブジェク
ト１６ａを投影し、第２投影部１２ｂは前記一方向における記録位置の他端に対応するオ
ブジェクト１６のうちの第２オブジェクト１６ｂを投影する。すなわち、第１オブジェク
ト１６ａ及び第２オブジェクト１６ｂにより前記一方向における記録領域を投影する。こ
のため、前記一方向における記録領域が明確になり、デジタルデータから想定する記録位
置と、実際の記録位置と、にずれが生じることを効果的に抑制することができる。
【００４５】
本発明の第５の態様の記録装置１は、前記第４の態様において、前記一方向における前
記一端と前記他端との距離に対応して、媒体Ｍに記録される画像Ｉのサイズを変更するこ
とを特徴とする。
【００４６】
本態様によれば、前記一方向における前記一端と前記他端との距離に対応して、媒体Ｍ
に記録される画像Ｉのサイズを変更する。このため、第１オブジェクト１６ａ及び第２オ
ブジェクト１６ｂの投影位置を変更することにより、簡単に、媒体Ｍにおける任意の記録
位置に、画像Ｉを拡大又は縮小して記録できる。
【００４７】
本発明の第６の態様の記録装置１は、前記第４又は第５の態様において、投影部１２は
、第３投影部１２ｃと第４投影部１２ｄとを有し、第３投影部１２ｃは、前記移動方向及
び前記交差方向のうちの他方向における記録位置の一端に対応する、オブジェクト１６の
うちの第３オブジェクト１６ｃを投影し、第４投影部１２ｄは、前記他方向における記録
位置の他端に対応する、オブジェクト１６のうちの第４オブジェクト１６ｄを投影するこ
とを特徴とする。
【００４８】
本態様によれば、第３投影部１２ｃと第４投影部１２ｄとを有し、第３投影部１２ｃは
前記他方向における記録位置の一端に対応するオブジェクト１６のうちの第３オブジェク
ト１６ｃを投影し、第４投影部１２ｄは前記他方向における記録位置の他端に対応するオ
ブジェクト１６のうちの第４オブジェクト１６ｄを投影する。すなわち、第１オブジェク
ト１６ａ及び第２オブジェクト１６ｂにより前記一方向における記録領域を投影し、第３
オブジェクト１６ｃ及び第４オブジェクト１６ｄにより前記他方向における記録領域を投
影する。このため、前記一方向及び前記他方向における記録領域が明確になり、デジタル
データから想定する記録位置と、実際の記録位置と、にずれが生じることを特に効果的に
抑制することができる。
【００４９】
本発明の第７の態様の投影方法は、媒体Ｍを支持して移動方向Ａに移動可能な支持部４
と、支持部４に支持された媒体Ｍに、デジタルデータに基づいて、画像Ｉを記録する記録
部７と、を備える記録装置１における記録位置の投影方法であって、支持部４に支持され
た媒体Ｍに、該媒体Ｍにおける記録位置の基準となるオブジェクト１６を投影することを
特徴とする。
【００５０】
本態様によれば、支持部４に支持された媒体Ｍに、該媒体Ｍにおける記録位置の基準と
なるオブジェクト１６を投影する。このため、記録前に、実際の媒体Ｍ上において、記録
位置を示すことができる。したがって、デジタルデータから想定する記録位置と、実際の
記録位置と、にずれが生じることを抑制することができる。
【符号の説明】
【００５１】
１  記録装置、２  媒体支持ユニット、３  媒体搬送部、４  トレイ（支持部）、
５  ステージ、６  キャリッジ、７  記録ヘッド（記録部）、８  支持面、
９  回転レバー、１０  押さえ部、１１  庇部、１２  投影部、１２ａ  第１投影部、
１２ｂ  第２投影部、１２ｃ  第３投影部、１２ｄ  第４投影部、
１３  トレイ４の縁部、１４  設置部、１５  位置決め部、
１６  基準線（オブジェクト）、１６ａ  第１オブジェクト、
１６ｂ  第２オブジェクト、１６ｃ  第３オブジェクト、１６ｄ  第１オブジェクト、
１７  投影部駆動部、１８  投影部移動モーター、１９  制御部、２０  ＣＰＵ、
２１  システムバス、２２  ＲＯＭ、２３  ＲＡＭ、２４  ヘッド駆動部、
２５  モーター駆動部、２６  キャリッジモーター、２７  搬送モーター、
２８  入出力部、２９  ＰＣ、３０  モニター（表示部）、３１  ポインター、
３２  スリット、Ｉ  画像、Ｉｄ  データ画像、Ｉｐ  記録画像、Ｍ  媒体、
Ｓ  センサー、Ｓｅ  発光部、Ｓｒ  受光部
【図１】
2016175376.tif 000003
【図２】
2016175376.tif 000004
【図３】
2016175376.tif 000005
【図４】
2016175376.tif 000006
【図５】
2016175376.tif 000007
【図６】
2016175376.tif 000008
【図７】
2016175376.tif 000009
【図８】
2016175376.tif 000010
【図９】
2016175376.tif 000011